(57)【要約】【課題】小径光ディスクをその一部がトレイの開口部に落込んだイレギュラーな状態でトレイに載せて装置内に誤って挿入したときでも、小径光ディスクがトレイの開口部から裏側へ入り込んで取出し不可能となる事態を回避できる光ディスク装置を提供する。【解決手段】トレイ８の開口部９に一部落込んだ小径光ディスク１０の該落込み部分を当止する当止用リブ１１を開口部９の少なくとも片側縁に沿ってトレイの裏面側に形成した光ディスク装置とするか、小径光ディスクの該落込み部分を当止しつつトレイの挿入に伴って相対的に小径光ディスクを押戻す押戻し用突起１２をカムスライダー６の上面又はメインシャーシ２の前端部１３の上面に形成した光ディスク装置とするか、当止用リブ１１と押戻し用突起１２の双方を形成した光ディスク装置とする。【選択図】図２
2007234186.tif 000002
【特許請求の範囲】
【請求項１】
クランパーを備えたメインシャーシに、光ピックアップとターンテーブルを搭載した可動シャーシを上下揺動自在に取付け、この可動シャーシを上下に揺動させるカムスライダーをメインシャーシに取付けると共に、大径光ディスク収容凹部と小径光ディスク収容凹部を同心的に形成し且つターンテーブルと光ピックアップを下方から突入させる開口部を形成したトレイを、可動シャーシとその上方のクランパーとの間に配置してメインシャーシに挿入・排出自在に取付けた光ディスク装置において、
上記トレイの開口部に一部落込んだ小径光ディスクの該落込み部分を当止する当止用リブを、上記開口部の少なくとも片側縁に沿って上記トレイの裏面側に形成すると共に、小径光ディスクの該落込み部分を当止しつつ上記トレイの挿入に伴って相対的に小径光ディスクを押戻す押戻し用突起を、上記当止用リブ側へ偏位させて上記カムスライダーの上面又は上記メインシャーシの前端部の上面に少なくとも一つ形成したことを特徴とする光ディスク装置。
【請求項２】
クランパーを備えたメインシャーシに、光ピックアップとターンテーブルを搭載した可動シャーシを上下揺動自在に取付け、この可動シャーシを上下に揺動させるカムスライダーをメインシャーシに取付けると共に、大径光ディスク収容凹部と小径光ディスク収容凹部を同心的に形成し且つターンテーブルと光ピックアップを下方から突入させる開口部を形成したトレイを、可動シャーシとその上方のクランパーとの間に配置してメインシャーシに挿入・排出自在に取付けた光ディスク装置において、
上記トレイの開口部に一部落込んだ小径光ディスクの該落込み部分を当止する当止用リブを、上記開口部の少なくとも片側縁に沿って上記トレイの裏面側に形成したことを特徴とする光ディスク装置。
【請求項３】
クランパーを備えたメインシャーシに、光ピックアップとターンテーブルを搭載した可動シャーシを上下揺動自在に取付け、この可動シャーシを上下に揺動させるカムスライダーをメインシャーシに取付けると共に、大径光ディスク収容凹部と小径光ディスク収容凹部を同心的に形成し且つターンテーブルと光ピックアップを下方から突入させる開口部を形成したトレイを、可動シャーシとその上方のクランパーとの間に配置してメインシャーシに挿入・排出自在に取付けた光ディスク装置において、
上記トレイの開口部に一部落込んだ小径光ディスクの該落込み部分を当止しつつ上記トレイの挿入に伴って相対的に小径光ディスクを押戻す押戻し用突起を、上記カムスライダーの上面又は上記メインシャーシの前端部の上面に少なくとも一つ形成したことを特徴とする光ディスク装置。
【請求項４】
クランパーを備えたメインシャーシに、光ピックアップとターンテーブルを搭載した可動シャーシを上下揺動自在に取付け、この可動シャーシを上下に揺動させるカムスライダーをメインシャーシに取付けると共に、大径光ディスク収容凹部と小径光ディスク収容凹部を同心的に形成し且つターンテーブルと光ピックアップを下方から突入させる開口部を形成したトレイを、可動シャーシとその上方のクランパーとの間に配置してメインシャーシに挿入・排出自在に取付けた光ディスク装置において、
上記トレイの開口部に一部落込んだ小径光ディスクの該落込み部分を当止する当止用リブを、上記開口部の少なくとも片側縁に沿って上記トレイの裏面側に形成すると共に、小径光ディスクの該落込み部分を当止しつつ上記トレイの挿入に伴って相対的に小径光ディスクを押戻す押戻し用突起を、上記カムスライダーの上面又は上記メインシャーシの前端部の上面に少なくとも一つ形成したことを特徴とする光ディスク装置。
【発明の詳細な説明】
【技術分野】
【０００１】
本発明は、小径の光ディスクをトレイに載せて装置内に挿入したとき、小径の光ディスクがトレイの開口部から裏側へ入り込んで取出し不可能となる事態を回避できるように改良した光ディスク装置に関する。
【背景技術】
【０００２】
従来の光ディスク装置は、例えば図８に示すように、クランパー１を備えたメインシャーシ２に、光ピックアップ３とターンテーブル４を搭載した可動シャーシ５をその後端部で上下揺動自在に取付け、この可動シャーシ５を上下に揺動させるカムスライダー６をメインシャーシ２の前端部の内側に取付けている。そして、大径光ディスク収容凹部７ａと小径光ディスク収容凹部７ｂを同心的に形成したトレイ８を、可動シャーシ５とその上方のクランパー１との間に配置してメインシャーシ２の内側に挿入・排出自在に取付けている。
【０００３】
このトレイ８には開口部９が形成されており、大径又は小径の光ディスクをトレイ８の大径又は小径の光ディスク収容凹部７ａ，７ｂに収容して装置内に挿入すると、カムスライダー６により可動シャーシ５が上方に回動して、ターンテーブル４と光ピックアップ３が下方からトレイ８の開口部９に突入し、光ディスクがターンテーブル４とクランパー１により保持されて回転しながら、光ピックアップ３からレーザービームが光ディスクに照射されて、記録・再生が行われるようになっている。
【０００４】
しかしながら、図９に示すように、直径８ｃｍの小径光ディスク１０を、その一部がトレイ８の開口部９に落込んで傾いたイレギュラーな状態でトレイ８に載せて装置内に誤って挿入すると、小径光ディスク１０がトレイ８の裏側へ入り込み、小径光ディスク１０が装置内に取り残されて取出し不可能になるという問題があった。
【０００５】
一方、光ディスクをトレイの光ディスク収容部から外れた状態でトレイに載置し、そのまま誤って装置内に挿入することを防止するために、トレイの開口部の両側縁に上向きの突部を形成した光ディスク装置が知られている（特許文献１）。しかしながら、この光ディスク装置のように、突部がトレイの開口部の両側縁に沿って上向きに形成されていると、小径光ディスクがトレイの開口部に一部落込んだ状態でトレイに載置されても、小径光ディスクの落込み部分が突部に当たらないため、誤って挿入された場合に小径光ディスクがトレイの裏側へ入り込むのを防止することはできない。
【０００６】
また、ベースの受け面の片側にガイド部材を設けて、小径光ディスクがトレイの開口部に落込まないようにした光ディスク装置も提案されている（特許文献２）が、この光ディスク装置は、トレイを引出すときに小径光ディスクをガイド部材で移動させることによってトレイの開口部に落込まないようにしたものであり、トレイを挿入するときに小径光ディスクがトレイの開口部に落込んでトレイの裏側へ入り込むのを防止するものではない。
【０００７】
更に、カムスライダーに突起を設けた光ディスク装置も提案されている（特許文献３）が、この突起は、トレイの開口部に一部落込んだ小径光ディスクがトレイの裏側へ入り込まないようにするものではない。
【特許文献１】特開２００２−１８４０７１号公報
【特許文献２】特開２００１−７６４０８号公報
【特許文献３】実用新案登録第３０９７７０８号公報
【発明の開示】
【発明が解決しようとする課題】
【０００８】
本発明は、上記の事情の下になされたもので、小径光ディスクをその一部がトレイの開口部に落込んだイレギュラーな状態でトレイに載せて装置内に誤って挿入したときでも、小径光ディスクがトレイの開口部から裏側へ入り込んで取出し不可能となる事態を回避できる光ディスク装置を提供することを解決課題としている。
【課題を解決するための手段】
【０００９】
上記課題を解決するため、本発明に係る第一の光ディスク装置は、クランパーを備えたメインシャーシに、光ピックアップとターンテーブルを搭載した可動シャーシを上下揺動自在に取付け、この可動シャーシを上下に揺動させるカムスライダーをメインシャーシに取付けると共に、大径光ディスク収容凹部と小径光ディスク収容凹部を同心的に形成し且つターンテーブルと光ピックアップを下方から突入させる開口部を形成したトレイを、可動シャーシとその上方のクランパーとの間に配置してメインシャーシに挿入・排出自在に取付けた光ディスク装置において、上記トレイの開口部に一部落込んだ小径光ディスクの該落込み部分を当止する当止用リブを、上記開口部の少なくとも片側縁に沿って上記トレイの裏面側に形成したことを特徴とするものである。
【００１０】
そして、本発明に係る第二の光ディスク装置は、クランパーを備えたメインシャーシに、光ピックアップとターンテーブルを搭載した可動シャーシを上下揺動自在に取付け、この可動シャーシを上下に揺動させるカムスライダーをメインシャーシに取付けると共に、大径光ディスク収容凹部と小径光ディスク収容凹部を同心的に形成し且つターンテーブルと光ピックアップを下方から突入させる開口部を形成したトレイを、可動シャーシとその上方のクランパーとの間に配置してメインシャーシに挿入・排出自在に取付けた光ディスク装置において、上記トレイの開口部に一部落込んだ小径光ディスクの該落込み部分を当止しつつ上記トレイの挿入に伴って相対的に小径光ディスクを押戻す押戻し用突起を、上記カムスライダーの上面又は上記メインシャーシの前端部の上面に少なくとも一つ形成したことを特徴とするものである。
【００１１】
また、本発明に係る第三の光ディスク装置は、クランパーを備えたメインシャーシに、光ピックアップとターンテーブルを搭載した可動シャーシを上下揺動自在に取付け、この可動シャーシを上下に揺動させるカムスライダーをメインシャーシに取付けると共に、大径光ディスク収容凹部と小径光ディスク収容凹部を同心的に形成し且つターンテーブルと光ピックアップを下方から突入させる開口部を形成したトレイを、可動シャーシとその上方のクランパーとの間に配置してメインシャーシに挿入・排出自在に取付けた光ディスク装置において、上記トレイの開口部に一部落込んだ小径光ディスクの該落込み部分を当止する当止用リブを、上記開口部の少なくとも片側縁に沿って上記トレイの裏面側に形成すると共に、小径光ディスクの該落込み部分を当止しつつ上記トレイの挿入に伴って相対的に小径光ディスクを押戻す押戻し用突起を、上記カムスライダーの上面又は上記メインシャーシの前端部の上面に少なくとも一つ形成したことを特徴とするものである。
【００１２】
そして、本発明の更に具体化された好ましい光ディスク装置は、クランパーを備えたメインシャーシに、光ピックアップとターンテーブルを搭載した可動シャーシを上下揺動自在に取付け、この可動シャーシを上下に揺動させるカムスライダーをメインシャーシに取付けると共に、大径光ディスク収容凹部と小径光ディスク収容凹部を同心的に形成し且つターンテーブルと光ピックアップを下方から突入させる開口部を形成したトレイを、可動シャーシとその上方のクランパーとの間に配置してメインシャーシに挿入・排出自在に取付けた光ディスク装置において、上記トレイの開口部に一部落込んだ小径光ディスクの該落込み部分を当止する当止用リブを、上記開口部の少なくとも片側縁に沿って上記トレイの裏面側に形成すると共に、小径光ディスクの該落込み部分を当止しつつ上記トレイの挿入に伴って相対的に小径光ディスクを押戻す押戻し用突起を、上記当止用リブ側へ偏位させて上記カムスライダーの上面又は上記メインシャーシの前端部の上面に少なくとも一つ形成したことを特徴とするものである。
【発明の効果】
【００１３】
本発明の第一の光ディスク装置では、小径光ディスクをその一部がトレイの開口部に落込んだイレギュラーな状態でトレイに載せて装置内に挿入しても、小径光ディスクの該落込み部分が当止用リブに当たって止まるので、トレイの裏側へ小径光ディスクが入り込むことはない。従って、トレイを排出するときに、小径光ディスクが装置内に取り残されて取出し不可能になることはない。
【００１４】
また、本発明の第二の光ディスク装置では、小径光ディスクをその一部がトレイの開口部に落込んだイレギュラーな状態でトレイに載せて装置内に挿入しても、小径光ディスクの該落込み部分が押戻し用突起に当たり、トレイの挿入に伴って相対的に小径光ディスクが押戻し用突起により押戻されて開口部から抜け出すため、トレイの裏側へ小径光ディスクが入り込むことはない。従って、この光ディスク装置も、トレイを排出するときに小径光ディスクが装置内に取り残されて取出し不可能になることはない。
【００１５】
また、本発明の第三の光ディスク装置では、小径光ディスクをその一部がトレイの開口部に落込んだイレギュラーな状態でトレイに載せて装置内に挿入しても、小径光ディスクの該落ち込み部分が当止用リブや押戻し用突起に当たり、トレイの挿入に伴って相対的に小径光ディスクが押戻されて開口部から抜け出すことになる。そして、たとえ小径光ディスクが当止用リブの下側を潜ってトレイの裏側へ一部入り込んだとしても、小径光ディスクは押戻し用突起により押戻されて開口部から抜け出すため、小径光ディスクがトレイの裏側へ入り込むのを充分防止することができる。
【００１６】
更に、一層具体化された好ましい光ディスク装置のように、押戻し用突起を当止用リブ側へ偏位させて形成してあると、当止用リブによる小径光ディスクの当止作用と、押戻し突起による小径光ディスクの押戻し作用が相乗するため、トレイの開口部に一部落込んだ小径光ディスクがスムーズに開口部から抜け出すようになり、小径光ディスクがトレイの開口部から裏側へ入り込むのをより確実に防止することが可能となる。
【発明を実施するための最良の形態】
【００１７】
以下、図面を参照して本発明の具体的な実施形態を詳述する。
【００１８】
図１は本発明に係る光ディスク装置の一実施形態を示す斜視図、図２は同装置の当止用リブの作用を説明する平面図である。
【００１９】
この光ディスク装置は、トレイ８の開口部９の片側縁に当止用リブ１１を形成した点を除いて、図８に示す従来の光ディスク装置と同様に構成されている。即ち、上部ブリッジのホルダー部にクランパー１を備えたメインシャーシ２には、光ピックアップ３とターンテーブル４を搭載した可動シャーシ５がその後端部で上下揺動自在に取付けられており、この可動シャーシ５を上下に揺動させるカムスライダー６がメインシャーシ２の前端部の内側に取付けられている。そして、大径光ディスク収容凹部７ａと小径光ディスク収容凹部７ｂを同心的に形成し、且つ光ピックアップ３とターンテーブル４を下方から突入させる略長方形の開口部９を形成したトレイ８が、可動シャーシ５とその上方のクランパー１との間に配置されてメインシャーシ２の内側に挿入・排出自在に取付けられている。
【００２０】
このような光ディスク装置は、大径又は小径の光ディスクをトレイ８の大径又は小径の光ディスク収容凹部７ａ，７ｂに収容して、駆動機構（不図示）によりトレイ８を装置内に挿入すると、連動するカムスライダー６により可動シャーシ５が上方に回動して、ターンテーブル４と光ピックアップ３が下方からトレイ８の開口部９に突入し、ターンテーブル４とクランパー１で光ディスクが保持されて回転しながら、光ピックアップ３からレーザービームが光ディスクに照射されて、記録・再生が行われる。
【００２１】
この光ディスク装置の大きい特徴は、トレイ８の開口部９の少なくとも片側縁に沿って当止用リブ１１をトレイ８の裏面側に一体形成したところにある。この当止用リブ１１は、図２に示すように、トレイ８の開口部９に一部落込んで傾いた直径８ｃｍの小径光ディスク１０の該落ち込み部分を当止して、小径光ディスク１０が開口部９からトレイ８の裏側へ入り込まないようにするものであり、トレイ８の挿入時にメインシャーシ２やカムスライダー６に当たらないように２〜５ｍｍ程度の高さでトレイ８の裏面側に形成されている。
【００２２】
この当止用リブ１１は、トレイ８の開口部９の左右いずれか片側縁に形成すればよいが、例えば、開口部９が左右いずれか片側に偏位して形成されている場合には、小径光ディスク１０が開口部９の偏位した方の片側に落込み易くなるので、開口部９の偏位した方の片側縁に当止用リブ１１を形成することが好ましい。この実施形態の光ディスク装置は、図２に示すように、開口部９がトレイ８の左側に少し偏位して形成されているので、開口部９の左側縁に沿って当止用リブ１１をトレイの裏面側に形成している。尚、当止用リブ１１を開口部９の両側縁に形成するのが最も好ましいことは言うまでもない。
【００２３】
上記の光ディスク装置では、図２に示すように、トレイ８に載せた小径光ディスク１０が開口部９の偏位している左側に一部落込んで傾いたイレギュラーな状態のまま装置内に挿入されても、小径光ディスク１０の該落込み部分が当止用リブ１１に当たって止まるので、小径光ディスク１０がトレイ８の裏側へ入り込むことはなく、従って、トレイ８を排出するときに、小径光ディスク１０が装置内に取り残されて取出し不可能になることはない。
【００２４】
図３は本発明に係る光ディスク装置の他の実施形態を示す斜視図、図４は同装置の押戻し用突起の作用を説明する平面図である。
【００２５】
この光ディスク装置は、トレイ８の開口部９の片側縁に当止用リブを形成しないで、カムスライダー６の上面に押戻し用突起１２を形成している点で、前述の光ディスク装置と異なっている。
【００２６】
この押戻し用突起１２は、小径光ディスク１０をその一部がトレイ８の開口部９に落込んだイレギュラーな状態でトレイ８に載せて装置内に挿入する際に、小径光ディスク１０の該落込み部分を当止しつつ、トレイ８の挿入に伴って相対的に小径光ディスク１０を押戻すものであり、トレイ８の挿入時にトレイ８の下面に当たらないように２〜５ｍｍ程度の高さでカムスライダー６の上面に形成されている。
【００２７】
この押戻し用突起１２は、トレイ８の開口部９の左右いずれか片側に偏位させてカムスライダー６の上面に一つ形成すればよいが、この実施形態の光ディスク装置のように開口部９がトレイ８の左側に少し偏位して形成されている場合は、押戻し用突起１２を開口部９の左側に偏位させてカムスライダー６の上面に形成することが好ましい。尚、この押戻し用突起１２も、開口部９の両側に偏位させて二つ形成するのが最も好ましいことは言うまでもない。
【００２８】
この光ディスク装置の他の構成は、前述した光ディスク装置のそれと同様であるから、図３，図４において同一部材に同一符号を付すに止め、重複する説明を省略する。
【００２９】
上記の光ディスク装置では、図４に示すように、トレイ８に載せた小径光ディスク１０が開口部９の偏位している左側に一部落込んでトレイ８の裏側へ少し入り込んだイレギュラーな状態のまま装置内に挿入されても、小径光ディスク１０の該落込み部分が押戻し用突起１２に当たり、トレイ８の挿入に伴って相対的に小径光ディスク１０が押戻し用突起１２により矢印のごとく光ディスク収容凹部７ａ，７ｂの中央付近に向かって押戻されて開口部９から抜け出すため、トレイ８の裏側へ小径光ディスク１０が入り込むことはない。従って、この光ディスク装置も、トレイ８を排出するときに小径光ディスク１０が装置内に取り残されて取出し不可能になることはない。
【００３０】
上記の押戻し用突起１２は、図５に示す実施形態の光ディスク装置のように、メインシャーシ２の前端部１３の上面において、トレイ８の開口部９の左右いずれか片側に偏位させて一つ形成してもよいし、また、両側に偏位させて二つ形成してもよい。このような光ディスク装置も、上述した図３，図４の光ディスク装置と同様に、イレギュラーな状態でトレイ８に載置されて装置内に挿入される小径ディスク１０が、メインシャーシ２の前端部１３の押戻し用突起１２に当たって押戻されつつ開口部９から抜け出すため、トレイ８の裏側へ小径光ディスク１０が入り込んで取出し不可能になる心配はない。
【００３１】
図６は本発明に係る光ディスク装置の更に他の実施形態を示す斜視図、図７は同装置の作用を説明する平面図である。
【００３２】
この光ディスク装置は、前述の当止用リブ１１をトレイ８の開口部９の少なくとも片側縁（左側縁）に沿ってトレイ８の裏面側に形成すると共に、前述の押戻し用突起１２を当止用リブ１１側へ偏位させてカムスライダー６の上面に少なくとも一つ形成している点で、前述の図１〜図５に示す光ディスク装置と異なっている。
【００３３】
この実施形態の光ディスク装置では当止用リブ１１と押戻し用突起１２を一つずつ形成しているが、当止用リブ１１は開口部９の両側縁にそれぞれ形成してもよく、また、押戻し用突起１２も開口部９の両側に偏位させてカムスライダー６の上面に二つ形成してもよい。更に、この押戻し用突起１２は、カムスライダー６の上面ではなく、メインシャーシ２の前端部１３の上面に形成してもよい。
【００３４】
この光ディスク装置の他の構成は、前述した光ディスク装置のそれと同様であるから、図６，図７において同一部材に同一符号を付すに止め、重複する説明を省略する。
【００３５】
このような光ディスク装置では、図７に示すように、小径光ディスク１０をその一部がトレイ８の開口部９に落込んだイレギュラーな状態でトレイ８に載せて装置内に挿入しても、小径光ディスク１０の該落ち込み部分が当止用リブ１１と押戻し用突起１２に当たり、小径光ディスク１０がトレイ８の裏側へ入り込むことなく、トレイ８の挿入に伴って相対的に小径光ディスク１０が押戻されて開口部９から抜け出すようになり、たとえ、小径光ディスク１０が当止用リブ１１の下側を潜ってトレイ８の裏側へ一部入り込んだとしても、押戻し用突起１２により押戻されて開口部９から抜け出すようになる。そして、この光ディスク装置のように押戻し用突起１２を当止用リブ１１側へ偏位させて形成してあると、当止用リブ１１と押戻し突起１２が連携し、小径光ディスク１０の当止作用と押戻し作用が相乗して複合的に働くため、小径光ディスク１０が引っ掛かることなくスムーズに開口部９から抜け出すようになる。従って、小径光ディスク１０がトレイ８の開口部９から裏側へ入り込んで取出し不可能になる事態をより確実に防止することができる。
【図面の簡単な説明】
【００３６】
【図１】本発明に係る光ディスク装置の一実施形態を示す斜視図である。
【図２】同装置の当止用リブの作用を説明する平面図である。
【図３】本発明に係る光ディスク装置の他の実施形態を示す斜視図である。
【図４】同装置の押戻し用突起の作用を説明する平面図である。
【図５】本発明に係る光ディスク装置の更に他の実施形態を示す平面図である。
【図６】本発明に係る光ディスク装置の更に他の実施形態を示す斜視図である。
【図７】同装置の作用を説明する平面図である。
【図８】従来の光ディスク装置の斜視図である。
【図９】従来の光ディスク装置の問題点を説明する平面図である。
【符号の説明】
【００３７】
１    クランパー
２    メインシャーシ
３    光ピックアップ
４    ターンテーブル
５    可動シャーシ
６    カムスライダー
７ａ  大径光ディスク収容凹部
７ｂ  小径光ディスク収容凹部
８    トレイ
９    トレイの開口部
１０  小径光ディスク
１１  当止用リブ
１２  押戻し用突起
１３  メインシャーシの前端部
【図１】
2007234186.tif 000003
【図２】
2007234186.tif 000004
【図３】
2007234186.tif 000005
【図４】
2007234186.tif 000006
【図５】
2007234186.tif 000007
【図６】
2007234186.tif 000008
【図７】
2007234186.tif 000009
【図８】
2007234186.tif 000010
【図９】
2007234186.tif 000011